(57)【要約】【課題】封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる。【解決手段】制御基板を間に挟んで収容する開閉可能な２つのケース片１０，２０を有した基板保護ケース１と、閉止状態にあるケース片に設けた封印シール接着部Ａにおいて何れか一方のケース片により支持される切断部材３０と、封印シール接着部において少なくとも一方のケース片に接着される封印シール５０と、封印シール接着部に対して着脱可能に装着され装着時に封印シールを包囲するキャップ４０と、を備え、キャップは、封印シール接着部に装着された時に切断部材と係合する係止部４２を備え、該キャップを封印シール接着部から離脱させる際に切断部材により封印シールを破断しつつ離脱する。【選択図】図２
2010167124.tif 000002
【特許請求の範囲】
【請求項１】
制御基板を間に挟んで収容する開閉可能な２つのケース片を有した基板保護ケースと、前記２つのケース片の周縁部に設けた封印シール接着部において少なくとも何れか一方のケース片によって保持される封印シール破断用切断部材と、前記封印シール接着部において前記２つのケース片の少なくとも何れか一方に接着される封印シールと、前記封印シール接着部に対して着脱可能に装着され装着時に前記封印シールを包囲するキャップと、を備え、
前記キャップは、前記封印シール接着部に装着された時に前記切断部材と係合する係止部を備え、該キャップを前記封印シール接着部から離脱させる際に前記切断部材が前記封印シールを破断しつつ離脱することを特徴とする基板保護ケースの封印構造。
【請求項２】
前記封印シール接着部は、前記２つのケース片の周縁部に夫々設けた突出片から構成されており、
前記切断部材は前記両突出片間に挟まれており、
前記キャップは少なくとも前記封印シールを接着した前記突出片を包囲するキャップ本体を備え、該キャップ本体が前記封印シールと前記突出片と前記切断部材を包囲したときに前記係止部が前記切断部材に設けた被係止部を係止するように構成されていることを特徴とする請求項１に記載の基板保護ケースの封印構造。
【請求項３】
何れか一方の前記ケース片の突出片の内側面側には、前記切断部材を着脱自在に支持する切断部材支持部を備え、
前記切断部材支持部には前記切断部材を仮係止する仮係止部が設けられていることを特徴とする請求項２に記載の基板保護ケースの封印構造。
【請求項４】
前記切断部材は、前記キャップを前記封印シール接着部から離脱させる方向と交差する方向へ突出する破断片を備え、
少なくとも一方の突出片には、前記キャップと共に前記切断部材が離脱方向へ移動する際に前記破断片が該突出片の外面に接着された前記封印シールを破断することを許容するガイドスリットが形成されていることを特徴とする請求項２、又は３に記載の基板保護ケースの封印構造。
【請求項５】
前記封印シール接着部は、前記２つのケース片の周縁部に夫々設けた突出片から構成されており、
前記切断部材は何れか一方の前記突出片の外側面に設けた切断部材支持部により着脱自在に支持され、
前記キャップは少なくとも前記封印シールを接着した前記突出片を包囲するキャップ本体を備え、該キャップ本体が前記封印シールと前記突出片と前記切断部材を包囲したときに前記係止部が前記切断部材に設けた被係止部を係止するように構成されていることを特徴とする請求項１に記載の基板保護ケースの封印構造。
【請求項６】
前記切断部材は、前記キャップを前記封印シール接着部から離脱させる方向と交差する方向へ突出する破断片を備え、
前記両ケース片の突出片には、前記キャップと共に前記切断部材が離脱方向へ移動する際に前記破断片が該突出片に接着された前記封印シールを破断することを許容するガイドスリットが夫々形成されていることを特徴とする請求項５に記載の基板保護ケースの封印構造。
【請求項７】
前記封印シール接着部は、何れか一方の前記ケース片の周縁部に設けた突出片から構成されており、
前記切断部材は前記突出片の一面に設けた切断部材支持部により着脱自在に支持され、
前記キャップは少なくとも前記封印シールを接着した前記突出片を包囲するキャップ本体を備え、該キャップ本体が前記封印シールと前記突出片と前記切断部材を包囲したときに前記係止部が前記切断部材に設けた被係止部を係止するように構成されていることを特徴とする請求項１に記載の基板保護ケースの封印構造。
【請求項８】
前記切断部材は、前記キャップを前記封印シール接着部から離脱させる方向と交差する方向へ突出する破断片を備え、
前記ケース片の突出片には、前記キャップと共に前記切断部材が離脱方向へ移動する際に前記破断片が該突出片に接着された前記封印シールを破断することを許容するガイドスリットが形成されていることを特徴とする請求項７に記載の基板保護ケースの封印構造。
【請求項９】
前記封印シールは、前記封印シール接着部において前記２つのケース片に跨って接着され、
前記切断部材の先端部には、前記キャップと共に前記封印シール接着部から離脱する際に、前記封印シールを破断する刃部が形成されていることを特徴とする請求項１乃至６の何れか一項に記載の基板保護ケースの封印構造。
【請求項１０】
前記切断部材を、前記各ケース片とは異なる色に着色したことを特徴とする請求項１乃至９の何れか一項に記載の基板保護ケースの封印構造。
【請求項１１】
前記下ケース片、又は／及び、前記上ケース片には、前記キャップが前記封印シール接着部に装着された状態において前記係止部に相当するキャップ部位を覆う改変阻止部材が突設されていることを特徴とする請求項１乃至１０の何れか一項に記載の基板保護ケースの封印構造。
【請求項１２】
少なくとも一つの前記改変阻止部材はカシメ締結部から成り、
前記カシメ締結部は、前記両ケース片に夫々設けられ且つ穴部が連通する環状部と、該各環状部の各穴部内に圧入されるカシメピンとから構成されていることを特徴とする請求項１１に記載の基板保護ケースの封印構造。
【請求項１３】
前記キャップの一側部には穴部を有した突片が設けられており、
前記キャップを前記封印シール接着部に装着した状態では、前記突片は前記各環状部の間に挟まれた状態となり、
前記各環状部及び前記突片の各穴部に前記カシメピンを圧入することにより、前記キャップは前記下ケース片及び前記上ケース片と一体化されることを特徴とする請求項１２に記載の基板保護ケースの封印構造。
【請求項１４】
前記封印シールは、接着シートと、該接着シート面に固定されたＩＣチップ、及び該ＩＣチップから延びる導体パターンを含んだＲＦＩＤと、を有していることを特徴とする請求項１乃至１３の何れか一項に記載の基板保護ケースの封印構造。
【請求項１５】
前記キャップを離脱させて前記封印シールを破断させたときに前記ＲＦＩＤが破断するように構成したことを特徴とする請求項１４に記載の基板保護ケースの封印構造。
【請求項１６】
前記一方のケース片に対して前記他方のケース片を、前記制御基板面と直交する方向へ移動させることにより、両ケース片は開閉可能に構成されていることを特徴とする請求項１乃至１５の何れか一項に記載の基板保護ケースの封印構造。
【請求項１７】
前記一方のケース片に対して前記他方のケース片を、前記制御基板と並行な方向へスライドさせることにより、両ケース片は開閉可能に構成されていることを特徴とする請求項１乃至１５の何れか一項に記載の基板保護ケースの封印構造。
【請求項１８】
前記一方のケース片に対して前記他方のケース片は回動軸を中心として開閉自在に軸支されていることを特徴とする請求項１乃至１５の何れか一項に記載の基板保護ケースの封印構造。
【請求項１９】
請求項１乃至１８の何れか一項に記載の基板保護ケースの封印構造を備えたことを特徴とする遊技機。
【発明の詳細な説明】
【技術分野】
【０００１】
本発明は、パチンコ遊技機、スロットマシン等の各種遊技機に搭載されたＲＯＭを交換する等の不正行為のために基板保護ケースが開放された形跡を確実に残して不正行為を発見可能とし、効果的に予防することができる基板保護ケースの封印構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が日々巧妙化することにより、結合手段を破壊してＲＯＭを交換した後で、形跡が残らないように新たな結合手段を組み付ける可能性がある。
特許文献２にも不正防止のための装置構成が開示されているが、特許文献１の場合と同様の欠点を有している。
【０００３】
このような不具合に対処すべく、封印シールを用いて基板保護ケースを封印することが行われているが、カッタを用いて封印シールを切断してから基板保護ケースを開放し、ＲＯＭを交換して基板保護ケースを閉止してから封印シールの切断面を修復すると、目視によって切断箇所の有無を判別できなくなるケースが多々あった。そのような不具合に対処するため、ＲＦＩＤを組み込んだ封印シールが用いられるようになっている。
即ち、特許文献３には、識別情報を記憶したＲＦＩＤ（非接触型記憶媒体）を組み込んだ封印シールを基板保護ケースを構成するケース本体とケース蓋とに跨って接着することにより、基板保護ケースが不正に開放された場合にＲＦＩＤが破断、断線して識別情報の読取りが不可能となるようにした技術が開示されている。これによれば、読み取り装置を用いてＲＦＩＤに記憶された識別情報を読取ることができない場合に、不正に基板保護ケースが開放されたことを知ることができる。
特許文献４、５にも、ＩＣタグやテープ型のインレットを用いた同様の不正発見のための技術が開示されている。
【０００４】
図１３及び図１４は従来の基板保護ケースの構成を示す斜視図、及び分解斜視図である。内部に制御基板１２０を収容した基板保護ケース１００は、ケース本体１０１とケース蓋１０２とを接合させた構成を備えている。基板保護ケース１００の一端部に位置するケース本体とケース蓋との突き合わせ部１０３には封印シール１１０が両者に跨って接着されている。また、突き合わせ部１０３とは反対側の端部にはカシメピンによる締結部１３０が設けられており、封印シール１１０と締結部１３０による不正行為の防止対策が採られている。
封印シール１１０は一面に接着層を有した紙等の破断し易い材質から成る接着シート１１１と、接着シートに固定されたＲＦＩＤ（例えば、ＩＣタグ）１１２と、を備えている。ＲＦＩＤ１１２は、電力生成回路、変復調回路、記憶回路、制御回路を含むチップ１１３と、チップから反対方向に延びる二本の導体パターン１１４と、各導体パターン１１４の先端に接続されたアンテナ部１１５と、を有している。図示しない読み取り装置からＲＦＩＤ１１２に向けて読み取り用の電磁波を照射すると、チップ内の電力生成回路が電磁誘導作用により起電力を生成し、この起電力により作動する制御回路によって記憶回路内に記憶された識別情報を読み出してアンテナから読み取り装置へ送信することにより識別情報を読取ることができる。
ＲＦＩＤ１１２を構成する導体パターン１１４は接着シート１１１の対角線方向へ延びており、導体パターン１１４が突き合わせ部１０３と交差するように封印シールを接着しておくことにより、基板保護ケースが不正に開放された場合に導体パターンの一部が断線して記憶情報の読み出しを不可能とすることができる。
【０００５】
しかし、本出願人による実験によれば、基板保護ケースを開放する際に封印シール１１０が破れることによってＲＦＩＤ１１２を構成する導体パターンが一箇所だけ破断したとしても、基板保護ケースを再閉止する際に封印シールの状態を修復して破断部間の導通を回復させることが可能であった。
特に、直線的に延びる突き合わせ部１０３に沿ってカッタによって封印シール１１０を切断する過程で導体パターンを一箇所切断した程度の破断状態では、後の修復作業によって導体パターンを再導通させることが比較的容易となる。
【特許文献１】特開２００６−１３０３５２公報
【特許文献２】特開２００７−１６０００４公報
【特許文献３】特開２０００−３３４１５４公報
【特許文献４】特許第４１２９９８５号
【特許文献５】特開２００８−３６２２８公報
【発明の開示】
【発明が解決しようとする課題】
【０００６】
以上のように、ＲＯＭを搭載した制御基板を収容する基板保護ケースが不正に開放された形跡が残るようにするために、ＲＦＩＤを組み込んだ封印シールによって基板保護ケースを封印する方法を採用した場合には、基板保護ケースの開放によって封印シール及びＲＦＩＤを一旦破断、断線させたとしても基板保護ケースの再閉止時に封印シールを修復してＲＦＩＤによる通信機能を回復させることが可能であった。
本発明は上記に鑑みてなされたものであり、ＲＦＩＤを組み込んだ封印シールによって封印された基板保護ケースが不正に開放されたことによって封印シールに含まれるＲＦＩＤが破断、断線した場合に、封印シールを修復しようとしてもＲＦＩＤの通信機能の回復を困難化することができる基板保護ケースの封印構造、及びこの基板保護ケースを用いた遊技機を提供することを一つの目的としている。
また、ＲＦＩＤを組み込まない封印シールを用いた場合においても、基板保護ケースを開放した場合には目視による破断部の確認が可能となり、しかも修復が困難となる程度に破断させることができる基板保護ケースの封印構造を提供することを他の目的としている。
更に本発明においては、基板保護ケースを開放する時点で封印シールが破断するように構成した場合の不具合である封印シールに対する加工（カッタによる切断）を不可能にして、再生不能な程度に封印シールを破断させることを目的としている。
【課題を解決するための手段】
【０００７】
上記目的を達成するため、請求項１の発明に係る基板保護ケースの封印構造は、制御基板を間に挟んで収容する開閉可能な２つのケース片を有した基板保護ケースと、前記２つのケース片の周縁部に設けた封印シール接着部において少なくとも何れか一方のケース片によって保持される封印シール破断用切断部材と、前記封印シール接着部において前記２つのケース片の少なくとも何れか一方に接着される封印シールと、前記封印シール接着部に対して着脱可能に装着され装着時に前記封印シールを包囲するキャップと、を備え、前記キャップは、前記封印シール接着部に装着された時に前記切断部材と係合する係止部を備え、該キャップを前記封印シール接着部から離脱させる際に前記切断部材が前記封印シールを破断しつつ離脱することを特徴とする。
【０００８】
一方のケース片と、一方のケース片との間で制御基板を収容し且つ該一方のケース片に対して開閉可能に構成された他方のケース片と、を有した基板保護ケースにおいて、少なくとも一方のケース片の端縁（封印シール接着部）に封印シールを接着した場合に、封印シールを包囲するようにキャップを封印シール接着部に装着する。更に、予め封印シール接着部に独立した部品としての切断部材を組付け可能に構成した。更に、キャップを封印シール接着部に装着した際に、キャップと切断部材が一体化（分離可能）するように構成したため、キャップを取り外そうとすると、切断部材も同時に離脱し、その離脱過程で封印シールを破断することとなる。
このように基板保護ケースを不正に開放するためにキャップを離脱させると、封印シールを破断させることができる。このため、封印シール接着部に接着した封印シールが著しく破損されることとなり、復旧不能となり、且つ目視によって封印シールの破損の有無を知ることができる。
封印シールは、一方のケース片にのみ接着しても良いし、両ケース片に跨って接着させてもよい。
【０００９】
請求項２の発明に係る基板保護ケースの封印構造では、前記封印シール接着部は、前記２つのケース片の周縁部に夫々設けた突出片から構成されており、前記切断部材は前記両突出片間に挟まれており、前記キャップは少なくとも前記封印シールを接着した前記突出片を包囲するキャップ本体を備え、該キャップ本体が前記封印シールと前記突出片と前記切断部材を包囲したときに前記係止部が前記切断部材に設けた被係止部を係止するように構成されていることを特徴とする。
請求項３の発明に係る基板保護ケースの封印構造では、何れか一方の前記ケース片の突出片の内側面側には、前記切断部材を着脱自在に支持する切断部材支持部を備え、前記切断部材支持部には前記切断部材を仮係止する仮係止部が設けられていることを特徴とする。
仮係止部により切断部材を仮係止できるので、両ケース片を閉止する前の製造工程において切断部材支持部から切断部材が落下、位置ずれする虞がなくなる。
【００１０】
請求項４の発明に係る基板保護ケースの封印構造では、前記切断部材は、前記キャップを前記封印シール接着部から離脱させる方向と交差する方向へ突出する破断片を備え、少なくとも一方の突出片には、前記キャップと共に前記切断部材が離脱方向へ移動する際に前記破断片が該突出片の外面に接着された前記封印シールを破断することを許容するガイドスリットが形成されていることを特徴とする。
封印シールが２つの突出片に跨って接着されている場合には、両突出片の隙間から切断部材が離脱する過程でその先端縁で封印シールを破断することができるが、更に切断部材の一面に破断片を設けることにより、封印シールの他の面を切断することができる。この面は、管理者にとって見やすい部位に当たるため、外観から不正行為の形跡を知ることができる。
請求項５の発明に係る基板保護ケースの封印構造では、前記封印シール接着部は、前記２つのケース片の周縁部に夫々設けた突出片から構成されており、前記切断部材は何れか一方の前記突出片の外側面に設けた切断部材支持部により着脱自在に支持され、前記キャップは少なくとも前記封印シールを接着した前記突出片を包囲するキャップ本体を備え、該キャップ本体が前記封印シールと前記突出片と前記切断部材を包囲したときに前記係止部が前記切断部材に設けた被係止部を係止するように構成されていることを特徴とする。
切断部材を２つの突出片の間に挟むのではなく、一方の突出片の外側面に組付けておき、両突出片と封印シールと切断部材をキャップにより包囲するように構成してもよい。この場合も、キャップを離脱させる際に切断部材も一体となって離脱し、封印シールを破断することとができる。
【００１１】
請求項６の発明に係る基板保護ケースの封印構造では、前記切断部材は、前記キャップを前記封印シール接着部から離脱させる方向と交差する方向へ突出する破断片を備え、前記両ケース片の突出片には、前記キャップと共に前記切断部材が離脱方向へ移動する際に前記破断片が該突出片に接着された前記封印シールを破断することを許容するガイドスリットが夫々形成されていることを特徴とする。
切断部材に設けた破断片は、２つの突出片に設けたガイドスリットを貫通して他方の突出片の外側面に突出し、キャップの離脱時には当該外側面に接着された封印シールを破断させることができる。
請求項７の発明に係る基板保護ケースの封印構造では、前記封印シール接着部は、何れか一方の前記ケース片の周縁部に設けた突出片から構成されており、前記切断部材は前記突出片の一面に設けた切断部材支持部により着脱自在に支持され、前記キャップは少なくとも前記封印シールを接着した前記突出片を包囲するキャップ本体を備え、該キャップ本体が前記封印シールと前記突出片と前記切断部材を包囲したときに前記係止部が前記切断部材に設けた被係止部を係止するように構成されていることを特徴とする。
封印シール接着部が単一の突出片から構成されている場合であっても、切断部材、キャップから成る封印シールの封印・破断構造を実現できる。
【００１２】
請求項８の発明に係る基板保護ケースの封印構造では、前記切断部材は、前記キャップを前記封印シール接着部から離脱させる方向と交差する方向へ突出する破断片を備え、前記ケース片の突出片には、前記キャップと共に前記切断部材が離脱方向へ移動する際に前記破断片が該突出片に接着された前記封印シールを破断することを許容するガイドスリットが形成されていることを特徴とする。
請求項９の発明に係る基板保護ケースの封印構造では、前記封印シールは、前記突き合わせ部において前記２つのケース片に跨って接着され、前記切断部材の先端部には、前記キャップと共に前記突き合わせ部から離脱する際に、前記封印シールを破断する刃部が形成されていることを特徴とする。
これによれば、封印シールの中間部位を破断することが可能となる。切断部材は、別部材であるため、形状、構造、特に刃部の形状を任意にレイアウトし易く、封印シールに大きな破断部を形成し得るような刃部形状を形成し易い。
【００１３】
請求項１０の発明に係る基板保護ケースの封印構造では、前記切断部材を、前記各ケース片とは異なる色に着色したことを特徴とする。
製造工程において、切断部材をケース片間の支持部にセットし忘れた場合であっても、ケース片と異なる色とすることによりセットし忘れを容易に発見できる。
請求項１１の発明に係る基板保護ケースの封印構造では、前記下ケース片、又は／及び、前記上ケース片には、前記キャップが前記突き合わせ部に装着された状態において前記係止部に相当するキャップ部位を覆う改変阻止部材が突設されていることを特徴とする。
不正行為者は、突き合わせ部に装着された状態にあるキャップの係止部を除去することにより、キャップと切断部材との係止を解除してキャップだけを離脱させようと試みる虞がある。このような不正行為に対処するために、キャップ装着部の両側方に係止部を除去する作業を妨げる改変阻止部材を配置した。
【００１４】
請求項１２の発明に係る基板保護ケースの封印構造では、少なくとも一つの前記改変阻止部材はカシメ締結部から成り、前記カシメ締結部は、前記両ケース片に夫々設けられ且つ穴部が連通する環状部と、該各環状部の各穴部内に圧入されるカシメピンとから構成されていることを特徴とする。
改変阻止部材を突き合わせ部（キャップ装着部）の両側に配置した場合に、この改変阻止部材として両ケース片を締結するためのカシメ締結部を兼用したものを採用すれば、部品点数を低減し、構造のシンプル化を実現できる。
請求項１３の発明に係る基板保護ケースの封印構造では、前記キャップの一側部には穴部を有した突片が設けられており、前記キャップを前記突き合わせ部に装着した状態では、前記突片は前記各環状部の間に挟まれた状態となり、前記各環状部及び前記突片の各穴部に前記カシメピンを圧入することにより、前記キャップは前記下ケース片及び前記上ケース片と一体化されることを特徴とする。
これによれば、キャップの不正な離脱行為を、確実に防止できる。
【００１５】
請求項１４の発明に係る基板保護ケースの封印構造では、前記封印シールは、接着シートと、該接着シート面に固定されたＩＣチップ、及び該ＩＣチップから延びる導体パターンを含んだＲＦＩＤと、を有していることを特徴とする。
何れか一方のケース片上、或いは両ケース片に跨って接着された封印シールの外観（ＲＦＩＤを備えた封印シールにあっては封印シール上のＲＦＩＤ）を著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
請求項１５の発明に係る基板保護ケースの封印構造では、前記キャップを離脱させて前記封印シールを破断させたときに前記ＲＦＩＤが破断するように構成したことを特徴とする。
【００１６】
請求項１６の発明に係る基板保護ケースの封印構造では、前記一方のケース片に対して前記他方のケース片を、前記制御基板面と直交する方向へ移動させることにより、両ケース片は開閉可能に構成されていることを特徴とする。
請求項１７の発明に係る基板保護ケースの封印構造では、前記一方のケース片に対して前記他方のケース片を、前記制御基板と並行な方向へスライドさせることにより、両ケース片は開閉可能に構成されていることを特徴とする。
請求項１８の発明に係る基板保護ケースの封印構造では、前記一方のケース片に対して前記他方のケース片は回動軸を中心として開閉自在に軸支されていることを特徴とする。
請求項１９の発明に係る遊技機は、請求項１乃至１８の何れか一項に記載の基板保護ケースの封印構造を備えたことを特徴とする。
【発明の効果】
【００１７】
以上のように本発明によれば、基板保護ケースを不正に開放するために封印シールを覆うキャップを取り外した場合に、少なくとも何れか一方のケース片の外面に接着された封印シールがキャップと共に離脱する切断部材によって確実に破断されるように構成した。即ち、基板保護ケースに接着された封印シールをキャップによって包囲するように構成する一方で、キャップ離脱時に、封印シールの外観（ＲＦＩＤを備えた封印シールの場合には及び封印シール上のＲＦＩＤ）を著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
仮に、キャップによって封印シールを隠蔽しない場合には、遊技機の背面に配置された基板保護ケースに対して不正行為をしようとする者は露出状態にある封印シールをカッタによって再生可能なように切断して基板保護ケースを開封、開放することが可能となる。これに対して本発明においては、キャップを離脱させた時点で破断力を高めた切断部材によって封印シールが破断することとなるので、不正行為者の都合のよい再生可能な程度に封印シールの破断状態を留めることができなくなる。
【発明を実施するための最良の形態】
【００１８】
以下、本発明を図面に示した実施の形態により詳細に説明する。
図１（ａ）は本発明の封印構造を備えた基板保護ケースの外観構成を示す斜視図であり、（ｂ）はその正面図、（ｃ）はその左側面図であり、図２は本発明の封印構造を備えた基板保護ケースの分解斜視図であり、図３（ａ）（ｂ）及び（ｃ）は基板保護ケースの他の分解斜視図、突き合わせ部（封印シール接着部）の構成を示す要部底面図、及び突き合わせ部の側面図であり、図４（ａ）（ｂ）及び（ｃ）は基板保護ケースの突き合わせ部（キャップ装着部）にキャップを装着する手順を示す要部構成図、及びカシメ締結部の拡大図であり、図５（ａ）乃至（ｆ）は切断部材の正面図、平面図、底面図、左側面図、右側面図、及び背面図であり、図６（ａ）乃至（ｄ）は突き合わせ部に対して切断部材、封印シール、キャップを組み付ける手順を上ケース片の突出片を中心として示す模式図であり、（ｅ）は突出片の端面図であり、図７（ａ）及び（ｂ）は封印シールの構成例を示す説明図である。
【００１９】
基板保護ケース１は、ＲＯＭを始めとした電子部品を搭載した図示しない制御基板（プリント基板）を内部に収容した状態でパチンコ遊技機等の遊技機の背面に台座８０（図２）を介して組み付けられる。
基板保護ケース１は、ＲＯＭを搭載した制御基板（プリント基板）を間に挟んだ状態で内部に収容する透明な樹脂製の２つのケース片（下ケース片１０、上ケース片２０）と、両ケース片１０、２０の端縁間に挟まれて保持される封印シール切断用切断部材（以下、切断部材、という）３０と、後述する封印シール５０を接着した基板保護ケースの突き合わせ部Ａに対して着脱自在に装着されるキャップ４０と、を備えている。
なお、後述するように切断部材３０の取付け位置は、両ケース片の端縁間に限らず、何れか一方のケース片の外側面であっても良い。
【００２０】
本例では、下ケース片１０は制御基板を間に挟んで上ケース片２０に対してカシメ部材３ａにより固定される。
基板保護ケース１の端縁に沿った適所には、カシメ部材３ａ（カシメピン２８、カシメ板６２、６６）を用いたカシメ締結部３（２７、６０）が配置され、カシメ締結部に設けた締結穴内にカシメ部材を打ち込むことにより両ケース片１０、２０は閉止状態でロックされる。締結穴に打ち込まれたカシメ部材を除去することによって両ケース片１０、２０は開閉、着脱可能な状態となる。
なお、台座８０は、遊技機本体の背面側に設けた遊技機側保持部に対して基板保護ケース１を取り付けるための連結手段であり、下ケース片１０に設けたフック部１１を台座８０に設けた軸部８１に係合させることにより、基板保護ケース１は軸部８１を中心として上下方向へ回動する。即ち、基板保護ケース１の下ケース片１０がこの台座８０により保持されるため、基板保護ケース１は遊技機側の軸部８１を中心として上下方向へ回動する。
制御基板を収容した基板保護ケース１は、下ケース片１０を台座８０を介してパチンコ遊技機等の遊技盤の背面に添設させた状態で組み付けられるため、遊技盤の背面側から上ケース片２０を通して内部の制御基板面に搭載された電子部品を視認することができる。また、台座８０の上部に位置する軸部８１を中心として基板保護ケース１を上方に回動させることにより、透明な下ケース片１０の底面から基板保護ケース内部を確認することができる。
【００２１】
上記の如き構成を備えた基板保護ケース１を封印する手段として、封印シール５０が使用される。封印シール５０としては単なるシート状の接着シールであってもよいが、本例ではＲＦＩＤを組み込んだ封印シール５０を一例として説明する。
即ち、基板保護ケース１が図１のように閉止状態にある時に、下ケース片１０と上ケース片の端縁間（突き合わせ部Ａ＝封印シール接着部）に跨るように封印シール５０を接着することにより、封印シール５０を破損せずには両ケース片を開放できないように構成されている。即ち、下ケース片１０と上ケース片２０の長手方向一端縁には夫々突出片１２、２２が設けられており、両突出片１２、２２は、突き合わせ部Ａを構成している。即ち、両突出片１２、２２は、下ケース片１０と上ケース片２０の長手方向一端縁の同一位置に設けられることにより、両ケース片を閉止した時に両突出片１２、２２が整合状態となって突き合わせ部（封印シール接着部）Ａを形成する。
なお、本例では、両ケース片１０、２０は、図１中の（ロ）で示した逆方向（制御基板面と平行な面方向）にスライドすることにより、開閉される。
【００２２】
本例では、封印シール接着部Ａを両突出片１２、２２から構成し、切断部材３０は両突出片の間に挟まれた状態で支持されているが、後述するように何れか一方の突出片の外側面に切断部材３０を支持（仮係止）する構成としてもよいし、封印シール接着部Ａを一方の突出片のみから構成し、この一つの突出片の一面によって切断部材を支持してもよい。
つまり、切断部材３０は、封印シール接着部において少なくとも何れか一方のケース片（突出片）によって保持される構成であればよい。
略板状の切断部材３０は、閉止状態にある２つのケース片１０、２０の突出片１２、２２（端縁間）によって挟まれて配置される。
【００２３】
キャップ４０は、突き合わせ部Ａの外面に封印シール５０を接着した状態で封印シールを包囲（隠蔽）するように突き合わせ部の外面に対して着脱自在に装着される。キャップ４０は、封印シール５０を含む両突出片（突き合わせ部Ａ）の外面を包囲するキャップ本体４１と、突き合わせ部Ａに装着された時に突出片１２、２２間に挟まれた状態にある切断部材３０（被係止部３６）と弾性的に係合する係止部４２を備え、キャップを突き合わせ部から離脱させる際に切断部材を一体的に離脱させることにより、封印シールを破断しつつ離脱させる。
なお、図示した実施形態では、キャップ４０は、封印シールを含む突出片１２、２２全体を包囲している例を示したが、キャップは封印シールの少なくとも一部を包囲するように突き合わせ部（封印シール接着部＝キャップ装着部）Ａの少なくとも一部に装着される構成であればよい。このことは、以下の全ての実施形態についても同様に当てはまる。
切断部材３０は、キャップ４０を突き合わせ部Ａから離脱させる方向（イ）の先端縁に設けた刃部３１と、離脱させる方向（イ）と交差（直交）する方向へ突出する破断片３３と、を備えている。本例では、破断片３３は突出片２２の面と略直交する方向へ延びているが、当該面と傾斜した方向であってもよい。
本発明では、切断部材３０を各ケース片と別部材とすることにより、その刃部３１等の切断手段の形状を独自に、且つ任意に成形、加工することが可能となり、封印シールを著しく破断させる構成が可能となる。
【００２４】
図６（ａ）乃至（ｄ）は突き合わせ部Ａに対して切断部材３０、封印シール、キャップを組み付ける手順を上ケース片の突出片を中心として示す説明図（内側面図）であり、（ｅ）は突出片の端面図である。
切断部材３０は、本実施形態では上ケース片の突出片２２の内側面に対して仮係止されるように構成されている。突出片２２の内側面（切断部材支持部）には係止部（仮係止部）２３が一対突設されており、これらの係止部２３が図６（ａ）の矢印方向へ装着される切断部材３０の後端縁に設けた２つの凹所（仮係止部）３２の内側縁部に係合してこれを押さえるように構成されている。また、切断部材の表面側には破断片３３が突設されており、切断部材を突出片２２の内側面に矢印方向から装着する際にこの破断片３３の通過を許容するガイドスリット２４が突出片２２に形成されている。従って、切断部材３０を図６（ａ）に示すように矢印方向へ移動させて突出片２２の内側面に着座させる際には、切断部材の表面を突出片２２の内側面に沿ってスライドさせつつ装着することができる。この際、破断片３３がガイドスリット２４内に嵌合しつつ移動するため、装着に際しての障害となることがない。また、突出片２２の後端縁寄りの内側面に突条としての係止部２５（仮係止部）を設けると共に、切断部材３０の表面の対応する部位に溝状の凹所３４を設け、両者を弾性的に嵌合させることにより、切断部材３０を仮係止させることができる。このため、遊技機の製造ラインにおいて、上ケース片を上下逆転させたとしても切断部材が落下、位置ずれすることはない。切断部材３０の後端縁から起立させた後壁３５は手作業によって突出片２２の内側面に切断部材３０を装着する際の手掛かりとなる部位であり、指で切断部材を突出片２２の内側面に押し込む際に利用される。
【００２５】
上記実施形態では、破断片３３を切断部材３０の一面からのみ突出させた例を示したが、切断部材３０の両面に破断部を設けると共に、両方の突出片１２、２２に夫々ガイドスリットを設けて、キャップと共に切断部材が封印シール接着部Ａから離脱する際に両突出片１２、２２の外面に接着されている封印シールを同時に破断させるように構成しても良い。
なお、本実施形態では上カバー片側の突出片２２に切断部材支持部を設けた構成例を示したが、下カバー側の突出片１２の内側面に切断部支持部を設けることも可能である。
更に、切断部材３０は、長手方向（装着方向と直交する方向）両端縁に弾性変形可能な爪状の被係止部３６を備えている。被係止部３６は、切断部材３０を両突出片１２、２２によりサンドイッチ状に挟んだ時に（図３（ｂ）（ｃ）を参照）、両突出片間の隙間から外側に露出した状態にある。このため、キャップを突き合わせ部に装着した際にキャップと切断部材との係合が可能となる。切断部材の先端縁も両突出片の隙間から露出した状態にあるため、キャップと共に切断部材が突き合わせ部から離脱する際にスムーズな離脱と、封印シールの破断が可能となる。
このようにして突出片２２に対して切断部材３０を装着した後で、上ケース片２０に対して下ケース片１０を装着し、両突出片１２、２２に跨って封印シール５０を接着する。
【００２６】
次に、図６（ｂ）は下ケース片１０を省略した状態における突き合わせ部に対する封印シール接着状態を示しており、（ｃ）はキャップ４０を装着した状態を示している。
キャップ４０は、キャップ本体４１の内側に切断部材３０の被係止部３６と係合可能な突起状の係止部４２を有し、図６（ｃ）のようにキャップを突き合わせ部に装着した時に各係止部４２が各被係止部３６の先端部と弾性的に係合して一時的に一体化する。
この状態において、（ｄ）に示すようにキャップ４０を突き合わせ部から離脱させると、キャップと一体化された切断部材３０も一体的に離脱するため、切断部材は両突出片１２、２２の隙間から抜き取られる。この際に、切断部材の刃部３１と破断片３３が封印シールを破断させる。即ち、刃部３１は、両突出片１２、２２間の隙間から外部へ離脱自在に構成されている一方で、破断片３３は突出片２２に設けたガイドスリット２４内から外部へ離脱可能に構成されているため、刃部３１と破断片３３の移動経路に位置する封印シールの各部位を破断することができる。
【００２７】
図７（ａ）に示すように封印シール５０は一面に接着層を有した紙等の破断し易い材質から成る接着シート５１と、接着シート５１の一面に固定されたＲＦＩＤ（例えば、ＩＣタグ等の非接触型の電波による識別手段）５５と、を備えている。ＲＦＩＤ５５は、電力生成回路、変復調回路、記憶回路、制御回路を含むチップ５６と、チップ５６から反対方向に延びる二本の導体パターン（アンテナ）５７と、を有している。本例の封印シール５０は矩形の接着シート５１の略中心部にチップ５６を配置すると共に、チップ５６から略対角線方向へ向けて各導体パターン５７を引き出している。
図示しない読み取り装置からＲＦＩＤ５５に向けて読み取り用の電磁波を照射すると、アンテナ部を構成する導体パターン５７が電磁波を受信し、チップ５６に電磁波を供給する。この電磁波によりチップ５６内の電力生成回路が電磁誘導作用による起電力を生成し、この起電力により作動する制御回路によって記憶回路内に記憶された識別情報を読み出してアンテナ部から読み取り装置へ送信することにより識別情報の読取りが行われる。
ＲＦＩＤを構成する線状の導体パターン５７は接着シート５１の略対角線方向へ延びており、導体パターン５７が突き合わせ部Ａと交差するように封印シール５０を接着しておくことにより、基板保護ケースが不正に開放された場合に導体パターンの一部が断線して記憶情報の読み出しを不可能とすることができる。
【００２８】
本実施形態においては、基板保護ケースの突き合わせ部Ａの外面に両ケース片の突出片１２、２２に跨るように封印シール５０を接着した状態において、突き合わせ部の外面にキャップ４０を被せるように装着しているが、この際に両突出片１２、２２間に保持された切断部材３０とキャップ４０とが係合して一体化している。従って、基板保護ケースを開放する前の段階、即ちキャップ４０を突き合わせ部から離脱させる過程で切断部材３０が封印シール５０を破断する動作が実施される。
切断部材３０はその先端（離脱方向先端）にギザギザ状の刃部３１を有しているため、切断部材３０が両突出片１２、２２の突き合わせ位置から外部に突出したときに、接着シート５１と共にＲＦＩＤ５５の一部（チップ部５６や導体パターン５７）が破断（断線）して、ＲＦＩＤの通信機能が喪失されるように構成されている。ＲＦＩＤの通信機能が喪失されると、読み取り装置から電磁波を供給してもＲＦＩＤが作動せず、記憶された識別情報を読み出すことができなくなるため、基板保護ケースが不正に開放されたことを知ることができる。
【００２９】
しかし、実際にはキャップを離脱させた際に二本の導体パターン５７のうちの一方のみが断線されたに過ぎない場合には、両ケース片２、１０を閉止状態に戻して破断した封印シール５０を修復することにより断線部が再接続により復旧して導通（読み取り装置との通信）を回復することが可能となることが判明した。
このような不具合に対処するために、本発明では、ギザギザ状の刃部（破断促進部）３１によって封印シール上のＲＦＩＤのチップ部５６が両突出片１２、２２の突き合わせ位置（切断部材の刃部の通過位置）に位置するように構成した。即ち、両突出片の突き合わせ位置に相当する部位にチップ部５６が位置するように封印シールを接着した場合には、不正にキャップ４０を離脱させると封印シール上のＲＦＩＤ５５、特にチップ部周辺が破断する。このため、不正行為者が不正行為の形跡を残さずに両ケース片を閉止するためには封印シールのＲＦＩＤを修復する必要があるが、本構成では、刃部３１による破断部はチップ部周辺を著しく破損しているため、断線したＲＦＩＤの導体パターンの端部同士を再接合させて導通を確保する復旧作業（通信機能の回復）は極めて困難となる。つまり、刃部３１によって切断することにより、封印シールの破断部の形状を非直線状とすることができ、不正行為者による修復作業を極めて困難化することができる。
特に、基板保護ケースを開放してＲＯＭを交換する等の不正行為が遊技場の営業中に行われる場合には、キャップを離脱させて基板保護ケースを開放してからＲＯＭを交換し、その後基板保護ケースを閉止して封印シールを補修するのに要する時間は僅かしかないため、完全な修復は極めて困難である。
【００３０】
そこで、例えば図７（ｂ）に示すように封印シールに設けたＲＦＩＤの導体パターン５７を湾曲（屈曲）させる等により制御基板、及びケース片の端縁で破断した際に導体パターンが複数箇所で破断するように構成してもよい。
刃部３１を構成するギザギザは、両突出片１２、２２の面方向に沿った凹凸としてもよいし、両突出片の面と直交する方向へ突出する凸部から構成してもよい。
また、封印シール５０を包囲するキャップ４０を基板保護ケースに装着しただけの構造であって、キャップを外したときに封印シールが破れないとすれば、キャップを外してから剥離剤を用いて封印シールを剥がしたり、復旧可能な最小限の損傷となるようにカッタを用いて封印シールを切断する等の不正行為も行われ得る。これに対して本発明では、キャップを外した時点で封印シールが復旧不可能な程度に破断されるので、不正行為を完全に防止できることとなる。
更に、切断部材３０は、キャップ４０を突き合わせ部Ａから離脱させる方向と交差する方向（上ケース片側）へ突出する破断片３３を備え、切断部材３０を突出片２２に装着した際に破断片３３は上ケース片２０の突出片２２に設けたガイドスリット２４から突出片２２の表面上に突出した状態となる。この状態で突出片２２の表面に封印シールを接着すると、破断片３３が封印シール５０と常時接触し、干渉した状態となる。このため、キャップ４０を突き合わせ部から離脱させることにより切断部材が離脱方向へ移動する際に、破断片がガイドスリット２４に沿って移動することにより封印シールを直線状に破断することができる。この破断片３３によって破断される封印シール部位は、突出片２２の表面に相当する部位であるため、遊技機の背面側から直視することができ、不正行為が行われた形跡をこの破断部から容易に発見することができる。
【００３１】
本実施形態では、封印シール５０が両突出片１２、２２に跨って接着される場合を想定して、切断部材３０に、ＲＦＩＤを復旧不能に切断するための刃部３１と、外観上の破断の形跡を確実に残すための破断片３３を夫々設けたが、これは一例に過ぎず、先端の刃部３１のみ、或いは他面の破断片３３のみを設けても良い。特に、封印シール５０を両突出片１２、２２に跨って接着せず、一方の突出片、例えば上ケース側の突出片２２の外面のみに接着した場合には、切断部材３０には破断片３３を設ければ足りる。つまり、本発明によれば、封印シールを両突出片に跨って接着する場合と、一方の突出片のみに接着する場合の双方に対応することが可能となる。
また、両ケース片１０、２０を透明材料にて構成する一方で、切断部材３０は赤色等の目立つ色に着色することにより、切断部材の存在をケース片の外側から目視により確認することが可能となる。このため、生産ラインにおいて切断部品の装着し忘れが起きた場合にも直ぐに気づくことができ、装着し忘れたままでの出荷が発生することを防止できる。
【００３２】
次に、上記の如くキャップと切断部材を係合させる構成を採用した場合、不正行為者は、キャップの係止部４２に相当する部位をカッタ等により破損、除去してキャップと切断部材の被係止部３６との係合を解除しようとする可能性がある。この場合、キャップのみを取り外すことが可能となり、その後封印シールをカッタにより復旧可能な程度に切断して基板保護ケースを開放し、ＲＯＭ交換などの不正行為を実施することができる。
このような不正行為に対処するため、本発明においては、キャップを突き合わせ部に装着した際に両係止部４２に相当するキャップの外側位置に、改変阻止用の改変阻止部材２６、２７を突出している。これら改変阻止部材２６、２７は、何れか一方のケース片（本例では上ケース片２０）から突出する。本実施形態では、一方の改変阻止部材２６はリブ（突起）であり、他方の改変阻止部材２７はカシメピン２８による両ケース片の封止部である。なお、他方の改変阻止部材２７をリブとしてもよい。
【００３３】
本構成によれば、不正行為者がキャップの係止部４２を除去するためにキャップを破損しようとしても、各係止部４２の外側部位にはケース片から改変阻止部材２６、２７が突出しているため、改変阻止部材を除去、破損した形跡を残すことなく、係止部４２を除去して切断部材３０との係合を解除することは不可能となる。従って、遊技機の管理者は、改変阻止部材を除去、破損した形跡をチェックすることにより、不正行為の有無を容易に知ることができる。また、このような改変阻止部材を除去、破損するためには、少なくない時間を要するため、不正行為者は不正行為を断念せざるを得ない結果となる。
改変阻止部材２７は、下ケース片１０に設けた第１の環状部２７ａと、上ケース片２０に設けた第２の環状部２７ｂと、両環状部に圧入されて固定されるカシメピン（カシメ部材）２８と、から構成されている。両環状部２７ａ、２７ｂは、両ケース片を整合状態で閉止した時にその穴部同士が連通状態となり、この両穴部内にカシメピン２８を圧入することにより、カシメピンを除去しない限り基板保護ケースの開放が困難となる。
【００３４】
各環状部２７ａ、２７ｂは、各ケース片本体１０、２０に対してリブ２７ｃによって連結されている（図４（ｃ））。
なお、本発明では改変阻止部材２７を設けた基板保護ケース端縁とは反対側の端縁に他のカシメ締結部６０（本例では二箇所６０ａ、６０ｂ）を設けており、両カシメ締結部による封止によって基板保護ケースの封止が完全となる。
なお、担当行政官庁により遊技場（ホール）内の遊技機の検査が行われる場合には、既設の基板保護ケースを開放して制御基板上の電子部品等の検査を受ける必要がある。この場合には、基板保護ケースの長手方向両端縁に設けた２箇所のカシメ締結部２７、６０を破断させて締結を解除すると共に、キャップ４０を取り外して封印シール５０による封印を解除する必要がある。検査終了後には、突き合わせ部Ａとは反対側に２箇所設けた他のカシメ締結部６０（６０ａ、６０ｂ）のうち破壊されていない方のカシメ締結部を利用して封止する一方で、突き合わせ部Ａに切断部材を再セットしてから封印シールを接着し、キャップを装着することにより、基板保護ケースの再利用が可能となる。このように本発明の基板保護ケースは、検査のために一度封印を解除して開放されたとしてもあと一度だけ再利用が可能となるため、ゴミの廃棄量を低減し、環境問題に対応することが可能となる。
【００３５】
なお、図８（ａ）（ｂ）及び（ｃ）は本発明の基板保護ケースの変形例を示す分解斜視図、組付け状態の正面図、及び左側面図である。
この基板保護ケース１は、キャップ４０の一側部に改変阻止部材２７（２７ａ、２７ｂ）に設けた穴部と連通する穴部４５ａを有した突片４５を設けた構成が特徴的である。この突片４５は、上下のケース片１０、２０を閉止して突出片１２、２２（突き合わせ部Ａ）にキャップ４０を装着する際に、改変阻止部材２７の両環状部２７ａ、２７ｂ間に介在した状態となる。このため、両環状片２６ａ、２７ｂの穴部にカシメピンを圧入する際にキャップの突片４５の穴部４５ａにもカシメピン２８が挿通された状態となり、キャップ４０を両ケース片と一体化することができる。従って、キャップ４０を離脱させるためには、突片４５を破損させたり、改変阻止部材２７を破損する必要があり、この場合には不正行為の形跡を確実に残すこととなる。
【００３６】
ところで、遊技機メーカーは、自らが製造する異機種の遊技機に使用する基板保護ケースとして、共通の形状、構造を有したものを使用するのが一般である。また、不正行為者が不正に基板保護ケースを開放した場合には少なくとも何れか一方のケース片には破壊された形跡が残るものである。このため、不正行為者は、同一メーカーの他機種の基板保護ケースを流用して不正行為の形跡を消去しようとする虞がある。即ち、ある遊技機の基板保護ケースを不正に開放した結果、上ケース片２０のみに不正行為の形跡が残ったとした場合、廃棄された異機種の遊技機の基板保護ケースを構成する上ケース片を不正行為の対象となる遊技機の上ケース片と交換して組み付けることにより、不正行為の形跡を消去した基板保護ケースを完成することが可能となる。
このような不具合に対処するため、同一機種の遊技機に使用される全ての基板保護ケース１の構成要素の全てに共通の識別番号（符号、図柄を含む）を刻印、印刷しておくことが有効である。即ち、例えば基板保護ケース１が、下ケース片１０、上ケース片２０、切断部材３０、及びキャップ４０から構成されている場合に、これら全ての部品に同一の識別番号を消去不能な状態で付しておくことにより、他機種から流用した部品（当該他機種専用の識別番号が付されている）を用いて完成としての基板保護ケースを組み付けた場合であっても、部品間の識別番号の不一致から不正行為の存在を判別できることとなる。
【００３７】
次に、図９（ａ）乃至（ｄ）は基板保護ケースの他端縁に設けたカシメ締結部６０の構成を説明するための全体正面図、要部斜視図、要部拡大図、及び要部断面図である。なお、図２を合わせて参照しつつカシメ締結部の構造について説明する。
このカシメ締結部６０は２箇所のカシメ締結部６０ａ、６０ｂを並置した構成を備えており、実使用時には一方のカシメ締結部６０ａだけを使用した封止が行われる。他方のカシメ締結部６０ｂは、制御基板検査のための必要から適法に基板保護ケースを開放するために一方のカシメ締結部６０ａを切除した場合に、検査終了後に再封止する際に使用するための予備である。
本発明のカシメ締結部６０は、下ケース片１０の端縁に設けられたカシメ板装着部６１と、上ケース片２０の端縁に設けられたカシメ板装着部６５と、各カシメ板装着部６１、６５に設けたスリット内に差込み装着される板金製の下カシメ板６２、及び上カシメ板６６と、を有する。
四角柱状の各カシメ板装着部６１、６５は、その中心部にスリットを有すると共に、その外周から延びるリブ６１ａ、６５ａによって各ケース片と一体化されている。
下カシメ板６２は、図２中に示すように切り起こしにより形成した爪部６２ａを有し、上カシメ板６６は下カシメ板６２の爪部６２ａを係止するための開口６６ａを有する。図９（ｂ）に示すように、両ケース片１０、２０を閉止した状態で、下ケース片側のカシメ板装着部６１のスリット内に下側から下カシメ板６２を差込み、更に上ケース片側のカシメ板装着部６５のスリット内に上側から上カシメ板６６を差し込んで、爪部６２ａを開口６６ａに係止することにより、カシメ締結部６０は開放できない状態となる。
【００３８】
ところで、下カシメ板６２と上カシメ板６６は、爪部６２ａと開口６６ａとの係合によって連結しているに過ぎないため、不正行為者が針金や薄板をカシメ板装着部６１、６６の外側の隙間（リブ６１ａ、６５ａ間の隙間）から差し込んで両カシメ板の連結を解除することが可能である。また、リブをニッパー等によって切断することによってカシメ板装着部を除去することによっても締結部６０を解除することが可能となる。
そこで、このような不正行為に対処するために、図９（ｄ）に示すようにカシメ板装着部６５のスリット内に上カシメ板６６を差し込んだ後で、上カシメ板６６を隠蔽するように蓋部材６７をカシメ締結部６０上に被せて接着する。この構成によれば、カシメ板装着部６１、６６の外側の隙間を蓋部材６７により閉止し、しかも蓋部材は接着されるため、上記の如き不正行為を行う余地がなくなる。なお、カバーは単なる板であってもよいし、図示のように板状部の周縁から前記隙間に入り込む凸部を設けた構成であってもよい。いずれにしても蓋部材６７をカシメ板装着部６５に接着剤を用いて接着することにより蓋部材の除去が困難となる。
【００３９】
また、蓋部材６７を赤色などの目立つ色に着色して透明材料から成る周辺部材と区別し易くすることにより、蓋部材６７を治具を用いてこじ開ける行為が行われた場合の傷痕が蓋部材面に残りやすくすることも有効である。即ち、蓋部材が透明であると、傷痕を目視発見することが困難であるのに対して、着色されている場合には傷痕部とそれ以外の部位とのコントラストが明確になるので、傷痕を発見し易くなる。
なお、不正行為者が基板保護ケースを開放するためには、必ずカシメ締結部６０を破壊して解除する必要がある。その際には、必ずカシメ板装着部６１、６５と各ケース片と連結するリブ６１ａ、６５ａをニッパー等を用いて切除する必要がある。この際、上下位置関係にあるリブ６１ａ、６５ａの横方向位置が完全に一致して重なっていると、一方のリブ、例えば下側のリブ６１ａが切除されたことを上ケース片側からの目視によって確認することが困難となる。
【００４０】
そこで、本発明では、図９（ｃ）に示すように上下位置関係にあるリブ６１ａ、６５ａの横方向位置（各ケース片の面方向に沿った位置）をずらすことにより、何れか一方のリブが切除されている状態を上ケース側からも、或いは下ケース側からも目視確認できるようにした。
また、このようにリブの位置をずらしているため、不正行為者が全てのリブを切断する手数が増大し、不正行為に伴う作業を煩雑化させ、作業に要する時間を長期化させることができる。このため、不正行為の失敗を助長し、予防することができる。
このようなリブを位置ずれさせる構成は、改変阻止部材２７を構成する各環状部２７ａ、２７ｂを各ケース片本体１０、２０に対して連結するリブ２７ｃについても同様に適用可能である（図４（ｃ）参照）。
【００４１】
なお、本発明の基板保護ケース１では、その長手方向一端縁に改変阻止部材２７としてのカシメ締結部を設ける一方で、他端縁にもカシメ締結部６０を設けたので、カシメ締結部が一方にのみ設けられている場合に比して不正開放行為を確実に防止することが可能となる。特に、一方のカシメ締結部としての改変阻止部材２７は、キャップ４０の不正改変を防止する手段を兼ねているため、部品点数の増大を招くことなく、カシメ締結部６０との協働により不正開放防止機能を実現することが可能となる。
また、改変阻止部材２７において、カシメピン２８を各環状部２７ａ、２７ｂに圧入した後で、図９で示した蓋部材６７の如き蓋部材によりカシメピンの頭部及びその周辺を隠蔽するとともに、該蓋部材を接着して剥離できないように構成することにより、カシメピンを差し込む部位に設けられたリブをニッパー等により破損する行為を効果的に阻止することができる。
【００４２】
次に、図１（ａ）（ｂ）に示した如き基板保護ケース１の下ケース片１０の右上隅部には、図１０の外部端子板収納部の断面図に示すようにホール側のコンピュータシステムと接続するための外部端子盤７０を収納する収納部（外部端子盤収納部）７１が設けられている。収納部７１は開口した上面側を蓋部材７２により閉止されている。蓋部材７２はその外周縁を収納部７１側に設けた係止部によって係止されているが、不正行為者がマイナスドライバー７５の先端部を収納部７１の一方の壁面７１ａと蓋部材７２との間にこじ入れて蓋部材７２を開放することが可能であった。
本発明ではこのような不具合に対処するために、収納部７１の壁面７１ａの上部から庇状の薄板から成る妨害部材７３を突出させて、壁面７１ａと蓋部材７２との間の隙間を埋めてマイナスドライバーをこじ入れる余地を無くするようにしている。仮に、無理に開放しようとすれば、マイナスドライバーによって妨害部材７３が破損して開放した形跡が残ることとなる。
【００４３】
次に、図１１は本発明の基板保護ケースの封印構造の他の構成例を示す説明図であり、（ａ）は分解斜視図、（ｂ）は下ケース片の突出片の端面図、（ｃ）及び（ｄ）は両ケース片を組み付けた状態を示す正面図、及び側面図である。
この実施形態に係る突き合わせ部（封印シール接着部）Ａは、２つのケース片の周縁部に夫々設けた突出片１２、２２から構成されており、切断部材３０は何れか一方の突出片、本例では下側の突出片１２の外側面に設けた切断部材支持部１５により着脱自在に支持される。更に、キャップ４０は封印シールを含む両突出片の外面を包囲するキャップ本体４１を備え、キャップ本体により封印シールと両突出片と切断部材を包囲したときに係止部４２により切断部材に設けた被係止部３６と係合するように構成されている。
更に、切断部材３０は、キャップ４０を突き合わせ部Ａから離脱させる方向と交差する方向（両突出片の面と交差する方向）へ突出する破断片３３を備えている。
更に、両ケース片の突出片１２、２２には、キャップと共に切断部材が離脱方向（イ）へ移動する際に破断片３３が少なくとも一方の突出片１２、２２の外面に接着された封印シール５０を破断することを許容するガイドスリット１６、２４が夫々形成されている。
【００４４】
封印シールは他方の突出片２２のみに接着しても良いし、両突出片に跨って接着してもよい。両突出片に跨って接着する場合には、突出片１２の外側面に仮係止されている切断部材の外面に封印シールを接着することとなる。
突出片１２の外側面に設けた切断部材支持部１５には係止部（仮係止部）１７が一対突設されており、これらの係止部１７が装着される切断部材３０の後端縁に設けた２つの凹所（仮係止部）３２の内側縁部に係合してこれを押さえるように構成されている。なお、係止部１７を含む切断部支持部１５の構成は、前記実施形態における突出片２２の内側面に設けた切断部材支持部の構成と同様である。
【００４５】
また、切断部材の表面側には破断片３３が突設されており、切断部材を突出片１２の外側面に矢印（イ’）方向から装着する際にこの破断片３３の通過を許容するガイドスリット１６、２４が両突出片１２、２２に形成されている。両ガイドスリット１、２４は連通している。従って、切断部材３０を突出片１２の外側面に着座させる際には、切断部材の一面を突出片１２の外側面に沿ってスライドさせつつ装着することができる。この際、破断片３３がガイドスリット１６、２４内に嵌合しつつ移動するため、装着に際しての障害となることがない（装着時のガイドとすることができる）。また、突出片１２の後端縁寄りの外側面には図６に示した突条としての係止部２５（仮係止部）と同様の係止部を設けると共に、切断部材３０の表面の対応する部位に溝状の凹所３４を設け、両者を弾性的に嵌合させることにより、切断部材３０を仮係止させることができる。このため、遊技機の製造ラインにおいて、上ケース片を上下逆転させたとしても切断部材が落下、位置ずれすることはない。切断部材３０の後端縁から起立させた後壁３５は手作業によって突出片１２の外側面に切断部材３０を装着する際の手掛かりとなる部位であり、指で切断部材を突出片１２の外側面に押し込む際に利用される。
このように切断部材は、二枚の突出片１２、２２のうちの何れか一方の外側面に対して取り付けることができる。
キャップ４０は、切断部材を含む二枚の突出片に装着される際に切断部材の被係止部３６と係合、係止してロックされた状態となり、キャップを離脱させる際には切断部材も一体となって離脱し、その際に刃部３１、或いは／及び、破断部３３が封印シールを破断させる。
【００４６】
次に、図１２は本発明の基板保護ケースの封印構造の他の構成例を示す説明図であり、（ａ）は分解斜視図、（ｂ）は下ケース片の突出片の端面図、（ｃ）は両ケース片を組み付けた状態を示す正面図、及び端面図である。
この実施形態に係る封印シール接着部Ａは、一方のケース片、本例では上側のケース片の周縁部に設けた突出片２２のみから構成されており、切断部材３０は突出片２２下面に設けた切断部材支持部により着脱自在に支持される。切断部材支持部の構成は、図１等に示した実施形態の構成と同様である。
更に、キャップ４０は封印シールを含む突出片２２の外面を包囲するキャップ本体４１を備え、キャップ本体により封印シールと突出片２２と切断部材を包囲したときに係止部４２により切断部材に設けた被係止部３６と係合するように構成されている。
更に、切断部材３０は、キャップ４０を封印シール接着部Ａから離脱させる方向と交差する方向（突出片の面と交差する方向）へ突出する破断片３３を備えている。
更に、突出片２２には、キャップと共に切断部材が離脱方向（イ）へ移動する際に破断片３３が少なくとも突出片２２の外面に接着された封印シール５０を破断することを許容するガイドスリット２４が形成されている。
封印シールは突出片２２の外側面のみに接着しても良いし、突出片２２の内側面に跨って接着してもよい。突出片２２の内外両面に跨って接着する場合には、突出片２２内側面に仮係止されている切断部材の外面に封印シールを接着することとなる。
【００４７】
また、切断部材の一面には破断片３３が突設されており、切断部材を突出片２２の内側面に矢印（イ’）方向から装着する際にこの破断片３３の通過を許容するガイドスリット２４が突出片２２に形成されている。従って、切断部材３０を突出片２２の内側面に着座させる際には、切断部材の一面を突出片２２の内側面に沿ってスライドさせつつ装着することができる。この際、破断片３３がガイドスリット２４内に嵌合しつつ移動するため、装着に際しての障害となることがない。
このように切断部材は、単一の突出片に対して取り付けても良い。
キャップ４０は、切断部材を含む突出片２２に装着される際に切断部材の被係止部３６と係合、係止してロックされた状態となり、キャップを離脱させる際には切断部材も一体となって離脱し、その際に刃部３１、或いは／及び、破断部３３が封印シールを破断させる。
【００４８】
次に、上記実施形態では両ケース片１０、２０の開閉方向に限定はなく、どのような方向であってもよい。即ち、何れか一方のケース片に対して他方のケース片を制御基板面と並行な方向（図１（ａ）の矢印ロで示す方向）へスライドさせる構成としたり、或いは両ケース片を制御基板の面と直交する方向（図２中の矢印ロで示す方向）へ開放する構成とすることにより、両ケース片が開閉可能に構成されている基板保護ケースにも本発明の封印構造を適用することができる。
更に、一方のケース片に対して他方のケース片は回動軸を中心として開閉自在に軸支されている基板保護ケースにも適用することができる。具体的には、下ケース片１０の一端部に設けたヒンジ部により、上ケース片２０の一端部（図１（ａ）の右端縁）に設けた軸部を開閉自在（図１（ａ）の矢印ニ方向）に軸支した構成の基板保護ケースに適用することができる。
また、封印シールを貼る位置は、上記各実施形態では制御基板の短辺に沿った位置としたが、長辺に沿った位置であってもよい。
なお、使用する封印シールの形状、面積、接着シール上におけるＲＦＩＤの位置等は、接着対象物となる各ケース片の形状等に応じて種々選定可能である。
【００４９】
以上のように本発明によれば、基板保護ケースに接着された封印シールをキャップによって包囲すると共に、キャップを離脱させる際に封印シールが破断するように構成し、しかも別部材としての切断部材の形状を工夫することにより封印シールを復旧不能な程度に破断させることが可能となる。従って、例えばＲＦＩＤ５５を組み込んだ封印シール５０を用いた場合であっても、封印シールに含まれるＲＦＩＤを復旧不能な程度に破断、断線させることができ、封印シールを修復しようとしてもＲＦＩＤの通信機能の回復を困難化することができる。また、封印シールの外観上最も視認し易い部位を破壊することにより外観上も一目で不正行為の存在をしることが可能となる。
即ち、キャップ離脱時に、封印シールの外観（ＲＦＩＤを備えた封印シールの場合には及び封印シール上のＲＦＩＤ）を著しく破損せねばならないように構成したので、目視によって封印シールの破損の有無を知ることができるばかりでなく、読み取り装置からＲＦＩＤに対して読み取り用の電磁波を照射した際のＲＦＩＤからの応答信号がないことによっても封印シールが破損されていることを的確に知ることができる。
【００５０】
仮に、キャップによって封印シールを隠蔽しない場合には、遊技機の背面に配置された基板保護ケースに対して不正行為をしようとする者は露出状態にある封印シールをカッタによって再生可能なように切断して基板保護ケースを開封、開放することが可能となる。これに対して本発明においては、キャップを離脱させた時点で破断力を高めた切断部材によって封印シールが破断することとなるので、不正行為者の都合のよい再生可能な程度に封印シールの破断状態を留めることができなくなる。
また、封印シールとしてＲＦＩＤを備えていない単なる接着シートを使用した場合においても、接着シートを修復不能となるように切断することができるので、本発明の基板保護ケースの不正開放の形跡を残すことができる。
封印シールは、一方のケース片にのみ接着しても良いし、両ケース片に跨って接着させてもよい。
【００５１】
また、封印シールが２つの突出片に跨って接着されている場合には、両突出片の隙間から切断部材が離脱する過程でその先端縁で封印シールを破断することができるが、更に切断部材の一面に破断片を設けることにより、封印シールの他の面を切断することができる。この面は、管理者にとって見やすい部位に当たるため、外観から不正行為の形跡を知ることができる。
また、何れか一方のケース片の突出片の内側面側には、切断部材を着脱自在に支持する切断部材支持部を設け、切断部材支持部には切断部材を仮係止する仮係止部が設けられている。このため、仮係止部により切断部材を仮係止できるので、両ケース片を閉止する前の製造工程において切断部材支持部から切断部材が落下、位置ずれする虞がなくなる。
また、切断部材を２つの突出片の間に挟むのではなく、一方の突出片の外側面に組付けておき、両突出片と封印シールと切断部材をキャップにより包囲するように構成してもよい。この場合も、キャップを離脱させる際に切断部材も一体となって離脱し、封印シールを破断することとができる。この場合、切断部材に設けた破断片は、２つの突出片に設けたガイドスリットを貫通して他方の突出片の外側面に突出し、キャップの離脱時には当該外側面に接着された封印シールを破断させることができる。
【００５２】
また、封印シール接着部が単一の突出片から構成されている場合であっても、切断部材、キャップから成る封印シールの封印・破断構造を実現できる。
また、切断部材の先端部には、キャップと共に封印シール接着部から離脱する際に、封印シールを破断する刃部が形成されている。このため、封印シールの中間部位を破断することが可能となる。切断部材は、別部材であるため、形状、構造、特に刃部の形状を任意にレイアウトし易く、封印シールに大きな破断部を形成し得るような刃部形状を形成し易い。
また、切断部材をケースと異なる色に着色することにより、製造工程において、切断部材をケース片間の支持部にセットし忘れたことを容易に発見できる。
【００５３】
不正行為者は、封印シール接着部に装着された状態にあるキャップの係止部を除去することにより、キャップと切断部材との係止を解除してキャップだけを離脱させようと試みる虞がある。このような不正行為に対処するために、キャップ装着部の両側方に係止部を除去する作業を妨げる改変阻止部材を配置することが有効である。
改変阻止部材を突き合わせ部（封印シール接着部＝キャップ装着部）の両側に配置した場合に、この改変阻止部材として両ケース片を締結するためのカシメ締結部を兼用したものを採用すれば、部品点数を低減し、構造のシンプル化を実現できる。
キャップの一側部に穴部を有した突片を設け、キャップを突き合わせ部に装着した状態で、突片が各環状部の間に挟まれた状態となり、各環状部及び突片の各穴部にカシメピンを圧入することにより、キャップが下ケース片及び上ケース片と一体化されるように構成したので、キャップの不正な離脱行為を、確実に防止できる。
本発明に係る基板保護ケース１は、パチンコ遊技機、スロットマシン等の遊技機に装備される制御基板を収容する手段として利用可能である。
【図面の簡単な説明】
【００５４】
【図１】（ａ）は本発明の封印構造を備えた基板保護ケースの外観構成を示す斜視図であり、（ｂ）はその正面図、（ｃ）はその左側面図である。
【図２】本発明の封印構造を備えた基板保護ケースの分解斜視図である。
【図３】（ａ）（ｂ）及び（ｃ）は基板保護ケースの他の分解斜視図、突き合わせ部の構成を示す要部底面図、及び突き合わせ部の側面図である。
【図４】（ａ）（ｂ）及び（ｃ）は基板保護ケースの突き合わせ部にキャップを装着する手順を示す要部構成図、及びカシメ締結部の拡大図である。
【図５】（ａ）乃至（ｆ）は切断部材の正面図、平面図、底面図、左側面図、右側面図、及び背面図である。
【図６】（ａ）乃至（ｄ）は突き合わせ部に対して切断部材、封印シール、キャップを組み付ける手順を上ケース片の突出片を中心として示す模式図であり、（ｅ）は突出片の端面図である。
【図７】（ａ）及び（ｂ）は封印シールの構成例を示す説明図である。
【図８】（ａ）（ｂ）及び（ｃ）は本発明の基板保護ケースの変形例を示す分解斜視図、組付け状態の正面図、及び左側面図である。
【図９】（ａ）乃至（ｄ）は基板保護ケースの他端縁に設けたカシメ締結部の構成を説明するための全体正面図、要部斜視図、要部拡大図、及び要部断面図である。
【図１０】外部端子盤収納部に設けた不正防止構造を示す断面図である。
【図１１】本発明の基板保護ケースの封印構造の他の構成例を示す説明図であり、（ａ）は分解斜視図、（ｂ）は下ケース片の突出片の端面図、（ｃ）及び（ｄ）は両ケース片を組み付けた状態を示す正面図、及び側面図である。
【図１２】本発明の基板保護ケースの封印構造の他の構成例を示す説明図であり、（ａ）は分解斜視図、（ｂ）は下ケース片の突出片の端面図、（ｃ）は両ケース片を組み付けた状態を示す正面図、及び端面図である。
【図１３】従来の基板保護ケースの構成を示す斜視図である。
【図１４】図１３の基板保護ケースの分解斜視図である。
【符号の説明】
【００５５】
１…基板保護ケース、３…カシメ締結部、３ａ…カシメ部材、Ａ…封印シール接着部（突き合わせ部）１０…下ケース片、１１…フック部、１２…突出片、１５…切断部材支持部、１６…ガイドスリット、１７…係止片、２０…上ケース片、２２…突出片、２３…係止部、２４…ガイドスリット、２５…係止部（仮係止部）、２６…改変阻止部材、２６ａ…環状片、２７…改変阻止部材、２７、６０…カシメ締結部、２７ａ…環状部、２７ｂ…環状部、２７ｃ…リブ、２８…カシメピン、３０…切断部材、３１…刃部、３３…破断片、３４…凹所、３５…後壁、３６…被係止部、４０…キャップ、４１…キャップ本体、４２…係止部、４５…突片、４５ａ…穴部、５０…封印シール、５１…接着シート、５５…ＲＦＩＤ、５６…チップ、５６…チップ部、５７…導体パターン、６０、６０ａ、６０ｂ…カシメ締結部、６１、６５…カシメ板装着部、６１ａ…リブ、６２…下カシメ板、６２、６６…カシメ板、６２ａ…爪部、６６…上カシメ板、６６ａ…開口、６７…蓋部材、７０…外部端子盤、７１…収納部、７１…壁面、７１ａ…壁面、７２…蓋部材、７３…妨害部材、７５…マイナスドライバー、８０…台座、８１…軸部
【図１】
2010167124.tif 000003
【図２】
2010167124.tif 000004
【図３】
2010167124.tif 000005
【図４】
2010167124.tif 000006
【図５】
2010167124.tif 000007
【図６】
2010167124.tif 000008
【図７】
2010167124.tif 000009
【図８】
2010167124.tif 000010
【図９】
2010167124.tif 000011
【図１０】
2010167124.tif 000012
【図１１】
2010167124.tif 000013
【図１２】
2010167124.tif 000014
【図１３】
2010167124.tif 000015
【図１４】
2010167124.tif 000016